【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
ネットワークを介して接続された複数の機器から構成され、該機器により他の機器のプロファイル情報の取得が行われるプロファイル情報取得システムに適用されるプロファイル情報取得方法において、
複数の機器を回送した後、自機器に戻るように構成したプロファイル情報ドキュメントを作成する、前記複数の機器のうちの第１の機器によって実行される作成ステップと、
前記作成ステップによって作成されたプロファイル情報ドキュメントを、前記複数の機器の１つに送信する、前記第１の機器によって実行される第１の送信ステップと、
前記プロファイル情報ドキュメントを受信し、自機器のプロファイル情報を前記受信したプロファイル情報ドキュメントに付加する、前記複数の機器のうちの第２の機器によって実行される付加ステップと、
前記付加ステップによって前記付加が行われたプロファイル情報ドキュメントを、他の機器に送信する、前記第２の機器によって実行される第２の送信ステップと
を有することを特徴とするプロファイル情報取得方法。
【請求項２】
前記作成ステップでは、特定の機能を指定するとともに、複数の機器を回送した後、自機器に戻るように構成したプロファイル情報ドキュメントを作成し、
前記付加ステップでは、受信したプロファイル情報ドキュメントに指定されている特定の機能を自機器が保有するとき、自機器のプロファイル情報を前記受信したプロファイル情報ドキュメントに付加することを特徴とする請求項１記載のプロファイル情報取得方法。
【請求項３】
複数の機器を回送した後、所定の機器に戻るように構成したプロファイル情報ドキュメントを、ネットワークを介して受信するプロファイル情報送信機器において、
自機器のプロファイル情報を前記受信したプロファイル情報ドキュメントに付加する付加手段と、
前記付加手段によって前記付加が行われたプロファイル情報ドキュメントを、他の機器に送信する送信手段と
を有することを特徴とするプロファイル情報送信機器。
【請求項４】
前記付加手段は、特定の機能を指定するとともに、複数の機器を回送した後、所定の機器に戻るように構成したプロファイル情報ドキュメントを受信し、該受信したプロファイル情報ドキュメントに指定されている特定の機能を自機器が保有するとき、自機器のプロファイル情報を前記受信したプロファイル情報ドキュメントに付加することを特徴とする請求項３記載のプロファイル情報送信機器。
【請求項５】
ネットワークを介して複数の機器に接続され、該複数の機器から各機器のプロファイル情報を取得するプロファイル情報取得機器において、
複数の機器を回送した後、自機器に戻るように構成したプロファイル情報ドキュメントを作成する作成手段と、
前記作成手段によって作成されたプロファイル情報ドキュメントを、複数の機器の１つに送信する送信手段と
を有することを特徴とするプロファイル情報取得機器。
【請求項６】
ネットワークを介して複数の機器に接続され、該複数の機器から各機器のプロファイル情報を取得するプロファイル情報取得機器において、
特定の機能を指定するとともに、複数の機器を回送した後、自機器に戻るように構成したプロファイル情報ドキュメントを作成する作成手段と、
前記作成手段によって作成されたプロファイル情報ドキュメントを、前記複数の機器の１つに送信する送信手段と
を有することを特徴とするプロファイル情報取得機器。
【請求項７】
プロファイル情報を送信するプロファイル情報送信方法を、コンピュータに実行させるためのプログラムにおいて、
複数の機器を回送した後、所定の機器に戻るように構成したプロファイル情報ドキュメントをネットワークを介して受信し、自機器のプロファイル情報を前記受信したプロファイル情報ドキュメントに付加する付加ステップと、
前記付加ステップによって前記付加が行われたプロファイル情報ドキュメントを、他の機器に送信する送信ステップと
を有することを特徴とするプログラム。
【請求項８】
前記付加ステップは、特定の機能を指定するとともに、複数の機器を回送した後、所定の機器に戻るように構成したプロファイル情報ドキュメントを受信し、該受信したプロファイル情報ドキュメントに指定されている特定の機能を自機器が保有するとき、自機器のプロファイル情報を前記受信したプロファイル情報ドキュメントに付加することを特徴とする請求項７記載のプログラム。
【請求項９】
ネットワークを介して複数の機器に接続され、該複数の機器から各機器のプロファイル情報を取得するプロファイル情報取得方法を、コンピュータに実行させるためのプログラムにおいて、
複数の機器を回送した後、自機器に戻るように構成したプロファイル情報ドキュメントを作成する作成ステップと、
前記作成ステップによって作成されたプロファイル情報ドキュメントを、複数の機器の１つに送信する送信ステップと
を有することを特徴とするプログラム。
【請求項１０】
ネットワークを介して複数の機器に接続され、該複数の機器から各機器のプロファイル情報を取得するプロファイル情報取得方法を、コンピュータに実行させるためのプログラムにおいて、
特定の機能を指定するとともに、複数の機器を回送した後、自機器に戻るように構成したプロファイル情報ドキュメントを作成する作成ステップと、
前記作成ステップによって作成されたプロファイル情報ドキュメントを、複数の機器の１つに送信する送信ステップと
を有することを特徴とするプログラム。
【手続補正２】
【補正対象書類名】明細書
【補正対象項目名】発明の名称
【補正方法】変更
【補正の内容】
【発明の名称】プロファイル情報取得方法、プロファイル情報送信機器、プロファイル情報取得機器、およびプログラム
【手続補正３】
【補正対象書類名】明細書
【補正対象項目名】０００１
【補正方法】変更
【補正の内容】
【０００１】
本発明は、プロファイル情報取得方法、プロファイル情報送信機器、プロファイル情報取得機器、およびプログラムに関する。
【手続補正４】
【補正対象書類名】明細書
【補正対象項目名】０００９
【補正方法】変更
【補正の内容】
【０００９】
本発明はこのような問題点に鑑みてなされたものであって、プロファイル情報を簡単な
処理によって迅速に収集することを可能にしたプロファイル情報取得方法、プロファイル情報送信機器、プロファイル情報取得機器、およびプログラムを提供することを目的とする。
【手続補正５】
【補正対象書類名】明細書
【補正対象項目名】００１０
【補正方法】変更
【補正の内容】
【００１０】
また、複数の機器における相互間の関連性や連携性を導き出すことを可能にしたプロファイル情報取得方法、プロファイル情報送信機器、プロファイル情報取得機器、およびプログラムを提供することを他の目的とする。
【手続補正６】
【補正対象書類名】明細書
【補正対象項目名】００１１
【補正方法】変更
【補正の内容】
【００１１】
上記目的を達成するために、請求項１記載の発明によれば、ネットワークを介して接続された複数の機器から構成され、該機器により他の機器のプロファイル情報の取得が行われるプロファイル情報取得システムに適用されるプロファイル情報取得方法において、複数の機器を回送した後、自機器に戻るように構成したプロファイル情報ドキュメントを作成する、前記複数の機器のうちの第１の機器によって実行される作成ステップと、前記作成ステップによって作成されたプロファイル情報ドキュメントを、前記複数の機器の１つに送信する、前記第１の機器によって実行される第１の送信ステップと、前記プロファイル情報ドキュメントを受信し、自機器のプロファイル情報を前記受信したプロファイル情報ドキュメントに付加する、前記複数の機器のうちの第２の機器によって実行される付加ステップと、前記付加ステップによって前記付加が行われたプロファイル情報ドキュメントを、他の機器に送信する、前記第２の機器によって実行される第２の送信ステップとを有することを特徴とするプロファイル情報取得方法が提供される。
【手続補正７】
【補正対象書類名】明細書
【補正対象項目名】００１２
【補正方法】変更
【補正の内容】
【００１２】
また、請求項３記載の発明によれば、複数の機器を回送した後、所定の機器に戻るように構成したプロファイル情報ドキュメントを、ネットワークを介して受信するプロファイル情報送信機器において、自機器のプロファイル情報を前記受信したプロファイル情報ドキュメントに付加する付加手段と、前記付加手段によって前記付加が行われたプロファイル情報ドキュメントを、他の機器に送信する送信手段とを有することを特徴とするプロファイル情報送信機器が提供される。
【手続補正８】
【補正対象書類名】明細書
【補正対象項目名】００１３
【補正方法】変更
【補正の内容】
【００１３】
また、請求項５記載の発明によれば、ネットワークを介して複数の機器に接続され、該複数の機器から各機器のプロファイル情報を取得するプロファイル情報取得機器において、複数の機器を回送した後、自機器に戻るように構成したプロファイル情報ドキュメントを作成する作成手段と、前記作成手段によって作成されたプロファイル情報ドキュメントを、複数の機器の１つに送信する送信手段とを有することを特徴とするプロファイル情報取得機器が提供される。
【手続補正９】
【補正対象書類名】明細書
【補正対象項目名】００１４
【補正方法】変更
【補正の内容】
【００１４】
また、請求項６記載の発明によれば、ネットワークを介して複数の機器に接続され、該複数の機器から各機器のプロファイル情報を取得するプロファイル情報取得機器において、特定の機能を指定するとともに、複数の機器を回送した後、自機器に戻るように構成したプロファイル情報ドキュメントを作成する作成手段と、前記作成手段によって作成されたプロファイル情報ドキュメントを、前記複数の機器の１つに送信する送信手段とを有することを特徴とするプロファイル情報取得機器が提供される。
【手続補正１０】
【補正対象書類名】明細書
【補正対象項目名】００１５
【補正方法】変更
【補正の内容】
【００１５】
また、請求項７記載の発明によれば、プロファイル情報を送信するプロファイル情報送信方法を、コンピュータに実行させるためのプログラムにおいて、複数の機器を回送した後、所定の機器に戻るように構成したプロファイル情報ドキュメントをネットワークを介して受信し、自機器のプロファイル情報を前記受信したプロファイル情報ドキュメントに付加する付加ステップと、前記付加ステップによって前記付加が行われたプロファイル情報ドキュメントを、他の機器に送信する送信ステップとを有することを特徴とするプログラムが提供される。
【手続補正１１】
【補正対象書類名】明細書
【補正対象項目名】００１６
【補正方法】変更
【補正の内容】
【００１６】
また、請求項９記載の発明によれば、ネットワークを介して複数の機器に接続され、該複数の機器から各機器のプロファイル情報を取得するプロファイル情報取得方法を、コンピュータに実行させるためのプログラムにおいて、複数の機器を回送した後、自機器に戻るように構成したプロファイル情報ドキュメントを作成する作成ステップと、前記作成ステップによって作成されたプロファイル情報ドキュメントを、複数の機器の１つに送信する送信ステップとを有することを特徴とするプログラムが提供される。
また、請求項１０記載の発明によれば、ネットワークを介して複数の機器に接続され、該複数の機器から各機器のプロファイル情報を取得するプロファイル情報取得方法を、コンピュータに実行させるためのプログラムにおいて、特定の機能を指定するとともに、複数の機器を回送した後、自機器に戻るように構成したプロファイル情報ドキュメントを作成する作成ステップと、前記作成ステップによって作成されたプロファイル情報ドキュメントを、複数の機器の１つに送信する送信ステップとを有することを特徴とするプログラムが提供される。
【手続補正１２】
【補正対象書類名】明細書
【補正対象項目名】０１２３
【補正方法】変更
【補正の内容】
【０１２３】
１００  デジタルカメラ（第１の機器）
１０１  デジタルビデオカメラ（機器）
１０２  プリンタ（第２の機器）
１０３  スキャナ（機器）
１０４  プロジェクタ（機器）
１０５  ディスプレイ（機器）
１０６  ネットワーク
２００  システムバス
３００  プロトコルアダプタモジュール
３０１  プロファイル送信モジュール（第１の送信ステップ、第２の送信ステップ）
３０２  プロファイル受信モジュール
３０３  ＸＭＬ読み出しモジュール
３０４  ＸＭＬ書き込みモジュール
３０５  ＸＭＬパースモジュール
３０６  サーキュレイションモジュール（作成ステップ、付加ステップ）
３０７  コントロールモジュール
３１０  プロファイル交換制御装置
４００  プロファイル情報ドキュメント
５００  プロファイル情報ドキュメント
６００  ＰＤＡ
６０１  プリンタ
６０２  スキャナ
６０３  ネットワーク
７００  プロファイル情報ドキュメント
【手続補正１３】
【補正対象書類名】図面
【補正対象項目名】図５
【補正方法】変更
【補正の内容】
【図５】
2006139492.tif 000001